(57)【要約】【課題】  インクジェットプリンタを用いて化粧料表面等に描画するためのインク組成物であって、顔料等の分散性及び再分散性に優れ、なおかつ化粧料に配合可能な成分のみを含むインクジェットプリンタ用インク組成物を提供する。【解決手段】  （ａ）（アクリル酸アルキル／ジアセトンアクリルアミド）コポリマー、及び、（ｂ）（アクリレーツ／アクリル酸アルキル（Ｃ１−１８）／アルキル（Ｃ１−Ｃ８）アクリルアミド）コポリマーから選択される少なくとも１種を含有することを特徴とするインクジェットプリンタ用インク組成物。【選択図】図１
2018168233.tif 000002
【特許請求の範囲】
【請求項１】
（ａ）（アクリル酸アルキル／ジアセトンアクリルアミド）コポリマー、及び、（ｂ）（アクリレーツ／アクリル酸アルキル（Ｃ１−１８）／アルキル（Ｃ１−Ｃ８）アクリルアミド）コポリマーから選択される少なくとも１種を含有することを特徴とするインクジェットプリンタ用インク組成物。
【請求項２】
（ａ）（アクリル酸アルキル／ジアセトンアクリルアミド）コポリマー、及び、（ｂ）（アクリレーツ／アクリル酸アルキル（Ｃ１−１８）／アルキル（Ｃ１−Ｃ８）アクリルアミド）コポリマーの両方を含有する、請求項１に記載のインク組成物。
【請求項３】
（ａ）（アクリル酸アルキル／ジアセトンアクリルアミド）コポリマー、及び、（ｂ）（アクリレーツ／アクリル酸アルキル（Ｃ１−１８）／アルキル（Ｃ１−Ｃ８）アクリルアミド）コポリマーが、アミノメチルプロパノール（ＡＭＰ）塩である、請求項１又は２に記載のインク組成物。
【請求項４】
前記（ａ）（アクリル酸アルキル／ジアセトンアクリルアミド）コポリマーを０．０１〜５質量％；
前記（ｂ）（アクリレーツ／アクリル酸アルキル（Ｃ１−１８）／アルキル（Ｃ１−Ｃ８）アクリルアミド）コポリマーを０．０１〜５質量％；
無機顔料を１〜３０質量％；
エタノールを１〜２０質量％；
多価アルコールを５〜６０質量％；
界面活性剤を０．０１〜５質量；及び
水を含有する、請求項１から３のいずれか一項に記載のインク組成物。
【発明の詳細な説明】
【技術分野】
【０００１】
本発明は、インクジェットプリンタ用インク組成物に関する。より詳しくは、インクジェットプリンタを用いて化粧料表面に微細な文字や図形を含む模様を線型に描くことのできるインク組成物であって、配合された顔料等の粉末（再）分散性に優れ、プリンタヘッドの詰まりを生じ難いインク組成物に関する。
【背景技術】
【０００２】
ファンデーション、白粉、アイシャドウ、あるいは頬紅等の固形化粧料の表面に文字や図形等を含む模様を描くことによって装飾することが行われている。
【０００３】
特許文献１では、ファンデーション等の固形化粧料本体の表面に、好ましくは化粧料本体と異なる色の加飾剤を吹き付けて加飾層を形成し、当該加飾層に対してレーザー光を照射して加工することにより装飾が施されている。しかしながら、この方法では化粧料本体と加飾層の２色しか表現することができず、実施するためには高価なレーザー加工装置が必要となる。
【０００４】
印刷技術を用いて装飾を施すことも考えられ、スタンプ印刷やタンポ印刷を使用した例もあるが、描画の鮮明さに欠け、２００μｍ以下の繊細な線を描くのは困難であった。特許文献２には、静電印刷の技法を用いて化粧料表面に描画する方法が記載されているが、印刷用パターンを設けたスクリーンが必須となり、形成される描画の辺縁部がぼやけるといった問題があった。
【０００５】
特許文献３には、インクジェット印刷によって表面に印刷された化粧料が開示されており、当該化粧料は、表面に白色インク層を形成し、その上に着色インクで描画されたものである。しかしながら、従来のインクジェット用インクは、配合される顔料等の粉末成分の分散性が低下すると、インクジェットプリンタのノズルの詰まりを生じるという問題があった。
【先行技術文献】
【特許文献】
【０００６】
【特許文献１】特開２００６−６２９８０号公報
【特許文献２】特開２００５−１４４９３５号公報
【特許文献３】特開２０１６−２１６４１６号公報
【発明の概要】
【発明が解決しようとする課題】
【０００７】
本発明は、前記従来技術の欠点に鑑みてなされたものであり、インクジェットプリンタを用いて化粧料表面等に描画するためのインク組成物であって、顔料等の分散性及び再分散性に優れ、なおかつ化粧料に配合可能な成分のみを含むインクジェットプリンタ用インク組成物を提供することを目的とする。
【課題を解決するための手段】
【０００８】
本発明者らが鋭意検討を行ったところ、インクに配合する分散剤として特定の物質を選択することによって、粉末の（再）分散性に優れ、ノズルの詰まりを生じ難いインク組成物が実現できることを見出し、本発明を完成するに至った。
【０００９】
即ち、本発明は、（ａ）（アクリル酸アルキル／ジアセトンアクリルアミド）コポリマー、及び、（ｂ）（アクリレーツ／アクリル酸アルキル（Ｃ１−１８）／アルキル（Ｃ１−Ｃ８）アクリルアミド）コポリマーから選択される少なくとも１種を含有することを特徴とするインクジェットプリンタ用インク組成物を提供する。
【発明の効果】
【００１０】
本発明に係るインク組成物は、前記特定のアニオン性アクリル樹脂を含有することにより、顔料等の粉末成分の分散性及び再分散性に優れ、粉末成分の凝集等が起こりにくいため、インクジェットプリンタのノズルの目詰まりが生じ難い。また、インクジェットプリンタを介して化粧料や化粧基材の表面に印刷できるので、幅が約１００μｍ以下の繊細な線を鮮明に描画することができる。
【図面の簡単な説明】
【００１１】
【図１】本発明のインク組成物でインクジェットプリンタを用いて表面に描画した固形化粧料の一例を示す写真である。
【図２】本発明のインク組成物でインクジェットプリンタを用いて表面に描画した固形化粧料の他の例を示す写真である。
【図３】本発明のインク組成物でインクジェットプリンタを用いて表面に描画した付け爪の例を示す写真である。
【発明を実施するための形態】
【００１２】
本発明のインク組成物は、（ａ）（アクリル酸アルキル／ジアセトンアクリルアミド）コポリマー（以下「ａ成分」ともいう）、及び、（ｂ）（アクリレーツ／アクリル酸アルキル（Ｃ１−１８）／アルキル（Ｃ１−Ｃ８）アクリルアミド）コポリマー（以下「ｂ成分」ともいう）から選択される少なくとも１種を必須成分として含有する。
【００１３】
（ａ）（アクリル酸アルキル／ジアセトンアクリルアミド）コポリマー及び（ｂ）（アクリレーツ／アクリル酸アルキル（Ｃ１−１８）／アルキル（Ｃ１−Ｃ８）アクリルアミド）コポリマーは、アニオン性のアクリルポリマーであり、本発明のインク組成物では、ＡＭＰ（アミノメチルプロパノール）塩の形態で配合するのが好ましい。
【００１４】
本発明における（ａ）（アクリル酸アルキル／ジアセトンアクリルアミド）コポリマーＡＭＰは市販品を用いてもよく、例えば、プラスサイズＬ−６３３０（互応化学工業株式会社製）等が挙げられる。同様に、（ｂ）（アクリレーツ／アクリル酸アルキル（Ｃ１−１８）／アルキル（Ｃ１−Ｃ８）アクリルアミド）コポリマーＡＭＰの市販品としては、プラスサイズＬ−９９０９（互応化学株式会社製）等を例示できる。これらは、医薬部外品原料規格（外原規）２００６における「アクリル樹脂アルカノールアミン液」に準拠して各種化粧品に配合可能な成分である。
【００１５】
本発明におけるａ成分及びｂ成分はインク組成物中の分散剤として作用していると考えられる。インクジェットプリンタ用インクにおける分散剤としては、ポリエーテル変性シリコーン、ポリグリセリン変性シリコーン、ポリエーテルアクリル変性シリコーン、ポリグリセリンアクリル変性シリコーン、アクリルシリコーン、ポリカルボン酸、ポリカルボン酸塩、アクリル酸共重合体、置換アクリル酸共重合体、ポリアクリル酸、ポリアクリル酸塩等が使用されているが（例えば、特許文献３の段落００１８参照）、本発明者等は、前記ａ成分及びｂ成分の少なくとも一方、好ましくは両方を分散剤として配合することにより粉末成分の分散性が格段に向上することを初めて見出し、本発明を完成した。
【００１６】
本発明のインク組成物におけるａ成分及びｂ成分の配合量は、合計で、０．０２〜１０質量％、好ましくは０．１〜５質量％、より好ましくは０．２〜３質量％である。ａ成分の配合量は０．０１〜５質量％、好ましくは０．０５〜２．５質量より好ましくは０．１〜１．５質量％であり、ｂ成分の配合量は０．０１〜５質量％、好ましくは０．０５〜２．５質量％、より好ましくは０．１〜１．５質量％である。
【００１７】
本発明のインク組成物は、前記ａ成分又はｂ成分のいずれか一方を含んでいれば良好な（再）分散性が達成されるが、ａ成分とｂ成分の両方を組み合わせて配合することによりインクの乾燥が抑制されてプリンタヘッドの詰まり防止効果が更に向上するので好ましい。
【００１８】
また、前記ａ成分及びｂ成分に加えて、他の分散剤を配合してもよいが、分散剤の合計配合量は上記の範囲内（０．０２〜１０質量％、好ましくは０．１〜５質量％、より好ましくは０．２〜３質量％）とするのが好ましい。
【００１９】
本発明のインク組成物は、前記ａ成分及びｂ成分に加えて、インクジェットプリンタ用インクに通常配合される各種成分を含有していてもよい。例えば、以下の成分を例示することができる。但し、全ての成分を化粧料に配合可能なものから選択するのが好ましい。
【００２０】
＜色材＞
本発明のインク組成物に配合される色材としては、白色顔料、着色顔料、体質顔料等の無機顔料、染料、レーキ、有機顔料等の有機合成色素及び天然色素、真珠光沢顔料、機能性顔料などが挙げられる、
【００２１】
無機顔料は、二酸化チタン、酸化亜鉛等の白色顔料、ベンガラ、黄酸化鉄、黒酸化鉄、群青、紺青、マンガンバイオレット、カーボンブラック等の着色顔料、マイカ、セリサイト、タルク、カオリン、無水ケイ酸等の体質顔料を含む。
【００２２】
有機合成色素には、アゾ系染料、キサンテン系染料、キノリン系染料、トリフェニルメタン系染料、アンスラキノン系染料、インジゴ系染料、ニトロ系染料、ピレン系染料、ニトロソ系染料等の染料、赤色２０２号、２０４号、２０６号、２０７号、２０８号及び２２０号等のレーキ顔料、黄色５号、赤色２３０号等の染料レーキ、アゾ系顔料、インジゴ系顔料、フタロシアニン顔料等の有機顔料が含まれる。
【００２３】
天然色素には、カロチノイド系、フラボノイド系、フラビン系、キノン系、ポルフィリン系、ジケトン系及びベタシアニジン系等の色素が含まれる。
真珠光沢顔料の代表例は雲母チタンである。
機能性顔料としては、フォトクロミック顔料、窒化ホウ素、合成フッ素金雲母（合成マイカ）、複合化微粒子粉体などが挙げられる。
【００２４】
本発明のインク組成物においては、色材として無機顔料を配合するのが好ましく、白色顔料では二酸化チタン、着色顔料では酸化鉄が好ましく用いられる。
本発明のインク組成物における無機顔料の配合量は、１〜３０質量％、好ましくは２〜２０質量％、より好ましくは５〜２０質量％である。
【００２５】
＜溶媒＞
本発明のインク組成物における溶媒としては、水又は水性媒体が好ましい。水性媒体とは、水と水溶性溶媒の混合物を意味する。
【００２６】
水溶性溶媒としては、エタノール等の（炭素数６以下の）低級アルコール、グリセリン、ジグリセリン、エチレングリコール、ジエチレングリコール、プロピレングリコール、ジプロピレングリコール、イソプレングリコール、ブチレングリコール、ペンチルグリコール、ヘキシレングリコール、カプリリルグリコール等の多価アルコール、及び、ソルビトール、マンニトール、エリスリトール等の糖アルコールなどが挙げられる。
【００２７】
前記の水溶性溶媒は、一種又は二種以上を組み合わせて配合することができるが、中でも、１〜２０質量％のエタノール、５〜６０質量％の多価アルコールを組み合わせて配合するのが好ましい。
【００２８】
＜界面活性剤＞
本発明のインク組成物は、界面活性剤を配合することにより安定性を更に向上させることができる。
【００２９】
本発明で使用できる界面活性剤は特に限定されず、化粧料に配合可能なものから適宜選択される。例えば、ポリオキシエチレン型、多価アルコールエステル型、エチレンオキシド・プロピレンオキシドブロック共重合体型の非イオン性界面活性剤、アニオン性、カチオン性又は両性のイオン性界面活性剤等が挙げられる。
【００３０】
本発明のインク組成物における界面活性剤の配合量は、例えば、０．０１〜５質量％、好ましくは０．０２〜２質量％、より好ましくは０．０５〜１質量％とすることができる。
【００３１】
本発明のインク組成物には、上記した成分以外にも、インクジェットプリンタ用インク組成物に通常配合される他の成分を、本発明の効果を妨げない範囲で配合してもよい。他の成分としては、限定されないが、水溶性高分子等の水性増粘剤、防腐剤、酸化防止剤等を挙げることができる。
【００３２】
本発明のインク組成物は、インクジェットプリンタ用インクの製造に通常用いられている方法に従って製造できる。
【００３３】
前記のようにして製造した本発明のインク組成物をインクジェットプリンタのインクタンクに充填し、循環させて印刷することにより、従来は困難であった微細な線や凹凸面又は曲面への描画が可能となる。インクジェットプリンタのノズル径は、特に限定されないが、例えば２０〜３０μｍのものを使用するのが好ましい。
【００３４】
本発明のインク組成物を用いて描画する対象は、例えば、ファンデーション、アイシャドウ、口紅、頬紅、白粉、眉墨等の固形化粧料が典型例として挙げられるが、これらに限られず、付け爪等の化粧用具でもよい。インクジェットプリンタを用いて本発明のインク組成物で描画することにより、凹凸面や曲面にも繊細で意匠性に優れた模様や文字等を印刷することができる。
【実施例】
【００３５】
以下、実施例を挙げて本発明をさらに詳しく説明するが、本発明はこれらの実施例により限定されるものではない。配合量については特に断りのない限り質量％を示す。
【００３６】
下記の表１〜２に示す処方にてインク組成物を調製し、それらの分散性、再分散性、及びインクジェットプリンタに充填して印刷した際のノズルヘッドの詰まりについて、以下の方法及び基準に従って評価した。結果を表１〜２に併せて示す。
【００３７】
＜評価方法＞
分散性及び再分散性の評価は、各組成物を顕微鏡で観察し、凝集物の有無等を確認することにより実施した。
ヘッドの詰まりの評価は、各組成物をインクジェットプリンタに充填し、テスト印刷用画像を実際に印刷して、抜けやかすれの有無等を確認することにより実施した。
【００３８】
＜評価基準＞
５：非常に良好
４：やや良好
３：普通（問題の無い水準の下限）
２：やや不良
１：不良
【００３９】
【表１】
2018168233.tif 000003
【００４０】
【表２】
2018168233.tif 000004
【００４１】
上記の表１〜２に示した結果から明らかなように、顔料として二酸化チタンを配合した白色インク及び酸化鉄を配合した着色インクのいずれでも、分散剤としてａ成分又はｂ成分を配合した実施例１及び２は他の分散剤を配合した比較例１〜６より（再）分散性に優れ、ヘッドの詰まりも生じなかった。また、ａ成分とｂ成分の両方を配合した実施例３〜５は、それらの特性が更に向上する傾向が見られた。
【００４２】
本発明のインク組成物で、インクジェットプリンタ（ノズル径２０〜３０μｍ）を用いて各種化粧料に描画した例を図面に示す。図１及び図２は、固形化粧料の表面に描画した例であり、本発明のインク組成物によって約５０μｍの微細な線を含む精密な模様（意匠図形）が描けることが確認された。図３は、付け爪の表面に描画した例である。本発明のインク組成物を用いれば、付け爪のような曲面や凹凸のある表面にも繊細な描画が可能である。
【図１】
2018168233.tif 000005
【図２】
2018168233.tif 000006
【図３】
2018168233.tif 000007
【手続補正書】
【提出日】平成30年6月26日(2018.6.26)
【手続補正１】
【補正対象書類名】特許請求の範囲
【補正対象項目名】全文
【補正方法】変更
【補正の内容】
【特許請求の範囲】
【請求項１】
（ａ）化粧品表示名称で（アクリル酸アルキル／ジアセトンアクリルアミド）コポリマーと称するアニオン性アクリルポリマー、及び
（ｂ）化粧品表示名称で（アクリレーツ／アクリル酸アルキル（Ｃ１−１８）／アルキル（Ｃ１−Ｃ８）アクリルアミド）コポリマーと称するアニオン性アクリルポリマー
の両方を含有することを特徴とするインクジェットプリンタ用インク組成物。
【請求項２】
前記（ａ）成分、及び、前記（ｂ）成分が、アミノメチルプロパノール（ＡＭＰ）塩である、請求項１に記載のインク組成物。
【請求項３】
前記（ａ）成分を０．０１〜５質量％；
前記（ｂ）成分を０．０１〜５質量％；
無機顔料を１〜３０質量％；
エタノールを１〜２０質量％；
多価アルコールを５〜６０質量％；
界面活性剤を０．０１〜５質量；及び
水を含有する、請求項１又は２に記載のインク組成物。